(57)【要約】      （修正有）【課題】ヒップアップ効果に優れつつ、着用時において引きつり皺が生じずにヒップラインをより綺麗に見せることができる新しい被服を提供する。【解決手段】被服の一例としてのスラックス１は、ヒップアップ機能を有する裏地が身頃の内側に設けられたものであって、裏地は、前身頃の左右ウエスト部２１ａ，２１ａ'及び左右脇線部２１ｂ，２１ｂ'に縫着され、且つ、内股部２３を介して後身頃のウエスト部及び左右脇線部に縫着された伸縮性を有する第１のパワーネットを備えている。【選択図】図１
0003176715.tif 000002
【実用新案登録請求の範囲】
【請求項１】
ヒップアップ機能を有する裏地が身頃の内側に設けられた被服であって、
前記裏地は、ヒップを覆うように、前身頃及び後身頃間に内股部を介して跨設されており、前身頃の左右ウエスト部、後身頃のウエスト部、及び、前記前身頃と前記後身頃の境界に位置する左右脇線部に縫着されており、且つ、伸縮性を有する第１のパワーネットを備える、
被服。
【請求項２】
前記裏地は、前記後身頃の中心線からヒップラインに沿って帯状に延在して左右脇線部に縫着された第２のパワーネットを備え、
前記第２のパワーネットは、前記第１のパワーネットと重ね合わせて一体化されており、且つ、伸縮性を有する、
請求項１に記載の被服。
【請求項３】
前記第１のパワーネットの伸縮強度よりも前記第２のパワーネットの伸縮強度の方が大きい、
請求項２に記載の被服。
【請求項４】
前記第１のパワーネットは、前記前身頃から前記内股部にかけて設けられる前部と、前記後身頃から前記内股部にかけて設けられる後部とを有し、
前記前部と前記後部とは互いに前記内股部の位置で縫着されており、該縫着位置には補強布が取り付けられている、
請求項１〜３のいずれか１項に記載の被服。
【請求項５】
前記第１のパワーネットは、前記前身頃のウエスト部の中央部から内股までＶ字状又は略Ｖ字状に開口しており、該開口の形状に沿う端縁部にステッチを有する、
請求項１〜４のいずれか１項に記載の被服。
【考案の詳細な説明】
【技術分野】
【０００１】
本考案は、被服、特に、ヒップアップ機能を有する裏地を身頃の内側に付設したヒップアップ用スラックス（パンツ、ズボン）に関する。
【背景技術】
【０００２】
従来、スラックス等の被服において、ヒップラインを綺麗に見せるために、ヒップアップ機能を有する裏地（インナー）を身頃の内側に付設したヒップアップ用スラックスが知られている。より具体的には、かかるヒップアップ用スラックスとして、ヒップを持ち上げるために、伸縮性織編布地からなるインナーを、後身頃の左右の脇線部やウエスト部、且つ、内股部に縫着して張設させるようにしたものが挙げられる（例えば、特許文献１参照）。
【先行技術文献】
【特許文献】
【０００３】
【特許文献１】特開２００３−２６８６０６号公報
【考案の概要】
【考案が解決しようとする課題】
【０００４】
しかし、上記従来のヒップアップ用スラックスにおいては、上述の如く、張力の強い伸縮性織編布地からなるインナーを、後身頃の左右の脇線部やウエスト部、且つ、内股部に縫着して張設（いわゆる引っ張り付け）させることから、スラックスの素材によっては（例えば、柔らかいコシのない素材（生地）を使用した場合など）、着用時に、インナーの縫着端である脇線部やその周囲（脇見部）等において引きつり皺が生じてしまい、場合によっては、着用感（履き心地、着心地）や外観の美しさ（美観）が損なわれてしまうといった問題があった。また、インナーが脇線部及び内股部に止着されるため、かかるインナーを適用できるスラックスのデザインの自由度、特に、シルエットのバリエーションが制限されてしまう傾向にあった。
【０００５】
また、このような引きつり皺の問題を解消すべく、張力の弱い伸縮性織編布地をインナーとして用いることも考えられるが、そうすると、ヒップアップの効果が逆に小さくなってしまい、ヒップアップ用スラックス本来の機能を十分に達成できないといった不都合が生じ得る。
【０００６】
そこで、本考案は、かかる事情に鑑みてなされたものであり、着用時に引きつり皺が生じることを防止でき、これにより、優れた着用感や美観を維持しつつ、同時に十分なヒップアップ効果をも得ることができ、さらに、デザインの自由度を増大させることが可能な新しい被服を提供することを目的とする。
【課題を解決するための手段】
【０００７】
上記課題を解決するために、本考案による被服は、ヒップアップ機能を有する裏地が身頃の内側に設けられたものであって、裏地が、ヒップ（臀部）を覆うように、前身頃及び後身頃間に内股部を介して跨設されており、前身頃の左右ウエスト部、後身頃のウエスト部、及び、前身頃と後身頃の境界に位置する左右脇線部に縫着されており、且つ、伸縮性を有する第１のパワーネットを備えることを特徴とする。なお、裏地が「前身頃及び後身頃間に内股部を介して跨設され」とは、その裏地が、内股部において身頃に縫着又は止着されていない状態（非縫着）で、前身頃及び後身頃の一方から他方に延設されていることを示す。
【０００８】
かかる被服によれば、伸縮性を有する裏地（インナー）が、ヒップを覆い、且つ、内股部を介して前身頃及び後身頃に亘って跨設され、前身頃の左右ウエスト部（中央部又は腹下部は除く）及び後身頃のウエスト部に縫着されていることにより、着用時に、ヒップ全体が適度な張力で、股下から前身頃及び後身頃の略鉛直上方（腹部中央及び背部中央）に持ち上げられる（吊り上げられる）ので、ヒップの一部が外方にはみ出さず、ヒップラインを綺麗に見せることができる。
【０００９】
また、裏地が、内股部において身頃（例えばスラックス本体）と縫着されていないので、裏地の伸縮が不都合に規制されず、着用時に、裏地が浮くように着用者のヒップを持ち上げることができ、従来のような皺（着用時の引きつり皺）等の発生を格段に抑制することができる。さらに、裏地の張力が、股下から前身頃及び後身頃のウエスト部に向かって略鉛直上方（腹部中央及び背部中央）に伝達されるので、下腹部を適度に且つ有効に引き締めることもでき、その結果、ヒップアップ効果に加えて、姿勢矯正等の効果が奏され、ボディメイクを図ることもできる。
【００１０】
また、本考案による被服は、好適には、裏地が、後身頃の中心線からヒップラインに沿って帯状に延在して左右脇線部に縫着され、第１のパワーネットと重ね合わせて一体化されており、且つ、伸縮性を有する第２のパワーネットを更に備えるものである。
【００１１】
このように構成すれば、裏地が、第１のパワーネットに加え、特に、ヒップアップに有用な位置である後身頃の中心線からヒップラインに沿って帯状に延設された第２のパワーネットを備えることにより、ヒップ全体を、より効果的に且つより確実に支えることができるとともに、ヒップの負荷（重力付加）がかかる部位を素材的に補強することができる。この場合、第１のパワーネットの伸縮強度よりも第２のパワーネットの伸縮強度の方が大きいとより有用（有効）である。なお、伸縮強度とは、パワーネットを引っ張ったときに該引っ張る力（伸びる方向へ働く力）に抗する力の度合いをいう。したがって、上述の好ましい一態様の如く、第１のパワーネットの伸縮強度よりも第２のパワーネットの伸縮強度の方が大きい（強い）場合には、第１のパワーネット及び第２のパワーネットをそれぞれ同じ力で引っ張ったとすると、第２のパワーネットの方が抵抗力が大きくて伸びにくいことになる。
【００１２】
さらに、第１パワーネットが、前身頃から内股部にかけて設けられる前部（前裏地）と、後身頃から内股部にかけて設けられる後部（後裏地）とが内股部の位置で縫着されて構成され、前部と後部との縫着部位（内股部に相当する位置）に取り付けられた補強布を有していても好適である。すなわち、内股部は、ヒップ等を股下から上方に向かって持ち上げるために特に負荷がかかる部位であるので、該箇所に補強布が取り付けられていれば、第１のパワーネットの前部と後部との縫着部位の強度及び耐久性を向上させることができる。
【００１３】
またさらに、第１のパワーネットが、前身頃のウエスト部の中央部（中央近傍）から前身頃の内股部（内股近傍）までＶ字状又は略Ｖ字状に開口しており、該開口の形状に沿う端縁部にステッチを有していても好適である。こうすれば、着用時に、ヒップ全体を、前身頃及び後身頃のウエスト部へ向かって上方に引っ張る力がより確実に生起され易くなるとともに、このとき、上記開口を画定する端縁部には張力がかかり易いところ、その端縁部にステッチを有することにより、その部位の補強及び耐久性の向上を図ることができる。
【考案の効果】
【００１４】
本考案の被服によれば、ヒップアップ機能を有する裏地が、ヒップを覆うように前身頃及び後身頃間に内股部を介して跨設され、前身頃の左右ウエスト部、後身頃のウエスト部、及び、左右脇線部に縫着されていることにより、着用時に引きつり皺を生じることなく、ヒップ全体を保持して股下から上方に持ち上げる（吊り上げる）ことができるので、従来に比して、ヒップラインをより一層綺麗に見せることができ、ヒップアップ機能を有する被服の着用感、美観、デザイン性、及び、シルエットのバリエーションといった汎用性を向上させることが可能となる。
【００１５】
なお、従来のヒップアップ機能を有した被服は、インナーを後身頃の脇線部やウエスト部に縫着し、さらに、内股部にも縫着したものであったのに対し、本考案者が、裏地（インナー）を、内股部を介して前身頃及び後身頃のそれぞれに縫着しつつ、内股部においては身頃と縫着しない構成としたことは、従来のヒップアップ用スラックスの構成や縫製技術から想定されるものでは到底なく、従来の技術常識から脱却した全く新しい発想の下で創作されたものと言える。
【図面の簡単な説明】
【００１６】
【図１】本考案の好適な一実施形態のヒップアップ用スラックスを裏返した状態の正面図である。
【図２】本考案の好適な一実施形態のヒップアップ用スラックスを裏返した状態の背面図である。
【図３】本考案の好適な一実施形態のヒップアップ用スラックスを裏返した状態の左側面図である。
【図４】本考案の好適な一実施形態のヒップアップ用スラックスを裏返した状態を型紙で見た場合の右背面図である。
【図５】本考案の好適な一実施形態のヒップアップ用スラックスを裏返した状態を型紙で見た場合の左正面図である。
【図６】本考案の好適な一実施形態のヒップアップ用スラックスの裏地の概略展開図である。
【考案を実施するための形態】
【００１７】
以下、本考案の実施の形態について、図面を参照して説明する。なお、図面中、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本考案を説明するための例示であり、本考案をその実施の形態のみに限定する趣旨ではない。さらに、本考案は、その要旨を逸脱しない限り、さまざまな変形が可能である。
【００１８】
本実施形態では、ヒップアップ機能を有する被服として、ヒップアップ用スラックスを例にとって説明する。
【００１９】
図１は、本考案の好適な一実施形態のヒップアップ用スラックスを裏返した状態の正面図を示し、図２はその背面図を示し、図３はその左側面図を示す。
【００２０】
本実施形態のヒップアップ用スラックス（以下、単に「スラックス」と称する）１は、身頃２と裏地３とから構成される。
【００２１】
身頃２は、スラックス本体（表地）であり、図１及び図２に示すように、主として、前身頃２１（左前身頃２１Ａ、及び右前身頃２１Ｂ）と、後身頃２２（左後身頃２２Ａ、及び右後身頃２２Ｂ）とから構成される。なお、本実施形態におけるスラックス１の身頃２自体の形状や素材は、特に制限されず、例えば、従来のスラックス本体と同様にすることができる。
【００２２】
裏地３は、身頃２の内側に付設され、ヒップアップ機能を有するものである。裏地３は、前身頃２１の左右ウエスト部２１ａ，２１ａ'及び左右脇線部２１ｂ，２１ｂ'に縫着され、且つ、内股部２３を介して後身頃２２のウエスト部２２ａ，２２ａ'及び左右脇線部２２ｂ，２２ｂ'に縫着された伸縮性を有する第１のパワーネット４と、後身頃２２の中心線からヒップラインに沿って帯状に延在して左右脇線部２２ｂ，２２ｂ'に縫着され、且つ、第１のパワーネット４と重ね合わせて一体化された伸縮性を有する第２のパワーネット５とから構成される。
【００２３】
第１のパワーネット４は、図１及び図２に示す如く、左前身頃２１Ａの左ウエスト部２１ａ及び左脇線部２１ｂに縫着される左前部（左前裏地）４１Ａと、右前身頃２１Ｂの右ウエスト部２１ａ'及び右脇線部２１ｂ'に縫着される右前部（右前裏地）４１Ｂと、左後身頃２２Ａの左ウエスト部２２ａ及び左脇線部２２ｂに縫着される左後部（左後裏地）４２Ａと、右後身頃２２Ｂの右ウエスト部２２ａ'及び右脇線部２２ｂ'に縫着される右後部（右後裏地）４２Ｂとから構成される。なお、第１のパワーネット４が身頃２と縫着される部位の詳細については後述する。
【００２４】
また、第１のパワーネット４は、前部（前裏地）と後部（後裏地）との縫着部位（内股部２３に相当する位置）に縫着等によって取り付けられた補強布６を有していてもよい（後述する図６参照）。内股部２３は、第１のパワーネット４において、ヒップ等を股下より持ち上げるために特に負荷のかかる部位であるので、該部位に補強布６を取り付けることにより、第１のパワーネット４の前部と後部との縫着部位の強度を簡便に向上させることができる。
【００２５】
さらに、第１のパワーネット４は、左右ウエスト部２１ａ，２１ａ'の前身頃２１の中心線側の端部から内股部付近までＶ字状又は略Ｖ字状に開口しており、該開口の形状に沿う端縁部にステッチ７を有していてもよい。スラックス１の着用時において、第１のパワーネット４には、前身頃及び後身頃のウエスト部側へ向かって上方に引っ張る力が働くため、上記開口を画定する端縁部には、第１のパワーネット４の他の部位に比してより大きな張力が印加され易く、素材や構造によっては、当該端縁部において破断するおそれが全くないわけではないところ、この端縁部にステッチ７を設けることによる、そのような破断のおそれを解消又は抑止し易くなる利点がある。
【００２６】
なお、本実施形態の第１のパワーネット４において、第１のパワーネット４の素材や縫着方法等に応じて、当て布６やステッチ７を適宜省略することも、もちろん可能である。
【００２７】
一方、第２のパワーネット５は、図２に示す如く、左後身頃２２Ａの左脇線部２２ｂに縫着され、且つ、右後身頃２２Ｂの及び右脇線部２２ｂ'に縫着される。また、第２のパワーネット５は、例えば、その周端及び後身頃の中心線において第１のパワーネット４に縫着される（ただし、縫着位置はこれに限定されない。）。
【００２８】
ここで、第１のパワーネット４及び第２のパワーネット５の素材としては、特に制限されず、例えば、伸縮性を有し、着用時に伸びた後のキックバック性に優れた素材を用いることが望ましく、かかる素材としては、例えば、ストレッチ性を有する目が細かいメッシュ状、ネット状等の編物や、ナイロン等にポリウレタン弾性繊維を交編しているもの等が挙げられる。
【００２９】
また、第１のパワーネット４の伸縮強度よりも第２のパワーネット５の伸縮強度の方が大きくなるように、それらの素材や構成（構造）等を適宜選択することにより、ヒップ全体をムラなくより効果的に持ち上げることができ、ヒップラインを更に美しく見せることができるので好適である。ただし、第１のパワーネット４の伸縮強度及び第２のパワーネット５の伸縮強度の大小関係はこれに限定されず、例えば、第１のパワーネット４と第２のパワーネット５とを重ね合わせて一体化とすることにより、その重ね合わせ部分の伸縮強度を向上させることができるので、この場合、第１のパワーネット４の伸縮強度と第２のパワーネット５の伸縮強度とが同等であっても好ましく、或いは、第１のパワーネット４の伸縮強度よりも第２のパワーネット５の伸縮強度の方が小さくても構わない。
【００３０】
次に、図４及び図５を参照して、身頃２と裏地３（第１パワーネット４）との寸法（サイズ）の差分について説明する。なお、ここでは、左後身頃２２Ａと左後部４２Ａ、及び右前身頃２１Ｂと右前部４１Ｂを例にとって説明するが、これらと左右対称である右後身頃２２Ｂと右後部４２Ｂ、及び左前身頃２１Ａと左前部４１Ａについても同様とすることができる。
【００３１】
図４は、スラックス１を裏返した状態を型紙で見た場合の右背面の平面図あって、左後身頃２２Ａに左後部（左後裏地）４２Ａを置いた状態を示す図である。
【００３２】
図４に示すとおり、左後身頃２２Ａのウエストのサイズ（距離：以下同様）Ｘ−Ａは、左後部４２ＡのウエストのサイズＸ−Ａ'よりも長く（例えば、１〜５ｃｍ程長く）する。また、左後身頃２２Ａの後ぐりのサイズＸ−Ｂは、左後部４２Ａの後ぐりのサイズＸ−Ｂ'よりも長く（例えば、１〜５ｃｍ程長く）する。
【００３３】
さらに、左後身頃２２Ａの巾（ワタリ幅）のサイズＣ−Ｄは、左後部４２Ａの巾のサイズＣ'−Ｄ'よりも長く（例えば、１〜５ｃｍ程長く）する。またさらに、左後身頃２２Ａの外脇線（脇線）のサイズＡ−Ｄは、左後部４２Ａの外脇線のサイズＡ'−Ｄ'と同等とする。
【００３４】
なお、上記の各サイズの差分は、ユーザの体格や性別等に応じて、適宜調整することができる。
【００３５】
図５は、スラックス１を裏返した状態を型紙で見た場合の左正面の平面図あって、右前身頃２１Ｂに右前部（右前裏地）４１Ｂを置いた状態を示す図である。
【００３６】
図５に示すとおり、右前身頃２１Ｂのウエストのサイズ（距離）Ｙ−ａは、右前部４１ＢのウエストのサイズＹ'−ａ'よりも長く（例えば、５〜８ｃｍ程長く）する。また、右前身頃２１Ｂの前ぐりのサイズＹ−ｂは、右前部４１Ｂの前ぐりのサイズＹ''−ａ'よりも長く（例えば、１５〜２５ｃｍ程長く）する。さらに、右前身頃２１Ｂの外脇線（脇線）のサイズａ−ｄは、右前部４１Ｂの外脇線の長さａ'−ｄ'と同等とする。
【００３７】
なお、上記の各サイズの差分も、ユーザの体格や性別等に応じて、適宜調整することができる。
【００３８】
次に、図６を参照して、第１のパワーネット４を構成する各部（４１Ａ，４１Ｂ，４２Ａ，４２Ｂ）同士の縫着箇所、及び、これら各部と身頃２との縫着箇所の一例について説明する。図６は、スラックス１の裏地３の概略展開図（展開して平面に置いた状態を示す図）である。
【００３９】
第１のパワーネット４を構成する各部同士の縫着については、例えば、以下のとおりである。すなわち、まず、左前部４１Ａと右前部４１Ｂは、前身頃２１の前中心で内股側に相当する位置であって、所定の位置（Ｙ''ｂ'）で縫着する。また、左後部４２Ａ及び右後部４２Ｂは、後身頃２２の後中心に相当する位置であって、所定の位置（Ｂ'Ｘ）で縫着する。さらに、左前部４１Ａ及び右前部４１Ｂの位置（ｃl'ｃr'）、並びに、左後部４２Ａ及び右後部４２Ｂの位置（Ｃl'Ｃr'）で縫着する。この左前部４１Ａ及び右前部４１Ｂ、並びに、左後部４２Ａ及び右後部４２Ｂの縫着位置（ｃl'ｃr'）を例えば１ｃｍ程度覆うように、上述した補強布６を更に縫着することができる。
【００４０】
第１のパワーネット４を構成する各部と身頃との縫着については、例えば、以下のとおりである。すなわち、まず、左後身頃２２Ａの端部Ａlに左後部４２Ａの端部Ａl'を合わせ、且つ、左後身頃２２Ａの端部Ｄlに左後部４２Ａの端部Ｄl'を合わせた後、後身頃２２のウエスト周辺部と外脇の縫い目に縫いつけて止着する。同様に、右後身頃２２Ｂと右後部４２Ｂとを止着する。また、左前身頃２１Ａの端部ａlに左前部４１Ａの端部ａl'を合わせ、且つ、左前身頃２１Ａの端部ｄlに左前部４１Ａの端部ｄl'を合わせ、前身頃２１のウエスト周辺部と外脇の縫い目に縫いつけて止着する。同様に、右後身頃２２Ｂと右後部４２Ｂとを止着する。
【００４１】
このようにして、身頃２と第１のパワーネット４を構成する各部（４１Ａ，４１Ｂ，４２Ａ，４２Ｂ）を縫着することにより、着用時に、図１及び図２において矢印で示す方向に引っ張る力が生じ、たるんで外方に逃げようとするヒップの贅肉を確実に且つ効果的に持ち上げることができ、ヒップラインを綺麗に見せることができる。また、裏地３が内股部において身頃２と縫着されていないので、スラックス１の着用時にインナーが浮くように着用者のヒップ全体を持ち上げることができ、従来生じ得た皺（着用時の引きつり皺）等の発生を抑制することができる。さらに、裏地３の張力が、股下から前身頃２１及び後身頃２２のウエスト部に向かって略鉛直上方（腹部中央及び背部中央）に伝達されるので、着用者の下腹部を適度に抑えて引き締めることもでき、これにより、ヒップアップ効果に加えて、姿勢矯正等の効果が得られ、ボディメイクを図ることもできる。
【００４２】
＜変形例＞
なお、上述したとおり、本考案は上記実施形態に限定されるものではなく、その要旨を変更しない限度において様々な変形が可能である。例えば、上述したスラックス１においては、ヒップアップ機能を有する裏地３として、第１のパワーネット４及び第２のパワーネット５を備える構成としたが、第２のパワーネット５を省略した裏地３を用いてもよい。また、第１のパワーネット４の開口にステッチ７を設けなくてもよく、さらに、前身頃２１において、第１のパワーネット４に開口を設けなくても構わず、この場合、裏地３は、前身頃２１の左右ウエスト部（中央部を除く）において前身頃２１に縫着されていることが望ましい。
【産業上の利用可能性】
【００４３】
本考案は、ヒップアップ機能を要する被服（外衣）に適用可能であり、例えば、カジュアルパンツ、ジーンズ等の各種スラックスに適用することができ、さらには、スカート等に用いることも可能である。
【符号の説明】
【００４４】
１…ヒップアップ用スラックス（被服）、２…身頃（スラックス本体）、２１…前身頃、２１Ａ…左前身頃、２１Ｂ…右前身頃、２１ａ…左ウエスト部、２１ａ'…右ウエスト部、２１ｂ…左脇線部、２１ｂ'…右脇線部、２２…後身頃、２２Ａ…左後身頃、２２Ｂ…右後身頃、２２ａ…左ウエスト部、２２ａ…右ウエスト部、２２ｂ…左脇線部、２２ｂ'…右脇線部、２３…内股部、３…裏地、４…第１のパワーネット、４１Ａ…左前部（左前裏地）、４１Ｂ…右前部（右前裏地）、４２Ａ…左後部（左後裏地）、４２Ｂ…右後部（右後裏地）、５…第２のパワーネット、６…当て布、７…ステッチ。
【図１】
0003176715.tif 000003
【図２】
0003176715.tif 000004
【図３】
0003176715.tif 000005
【図４】
0003176715.tif 000006
【図５】
0003176715.tif 000007
【図６】
0003176715.tif 000008